(57)【要約】  機器表示制御部（４０４）は、表示部に、空調機が設置される建物の間取り図を表示させると共に、該間取り図における空調機の実際の設置位置に対応する部分上に、当該空調機を示すアイコンを表示させる。画像データ設定部（４０３）は、ユーザによる所定の操作に応じて、データ記憶部に記憶されている撮像画像データと空調機との対応付けを行う。機器表示制御部（４０４）は、ユーザによってアイコンが選択されると、当該アイコンによって示される空調機に対応付けられた撮像画像データに基づく画像を表示部に表示させる。
2012153391.tif 000002
【特許請求の範囲】
【請求項１】
複数の空調機とデータ通信可能に接続し、各空調機の動作状態を管理する空調管理装置であって、
ユーザからの入力操作を受け付ける操作受付部と、
前記空調機を管理するための各種情報を表示する表示部と、
前記表示部に、前記空調機が設置される建物の間取り図を表示させると共に、該間取り図における前記空調機の実際の設置位置に対応する部分上に、当該空調機を示すアイコンを表示させる機器表示制御部と、
前記空調機の撮像画像データを記憶するデータ記憶部と、
ユーザによる所定の操作に応じて、前記撮像画像データと前記空調機との対応付けを行う画像データ設定部と、を備え、
前記機器表示制御部は、ユーザによって前記アイコンが選択されると、当該アイコンによって示される空調機に対応付けられた前記撮像画像データに基づく画像を前記表示部に表示させる空調管理装置。
【請求項２】
外部からの前記撮像画像データの入力を受け付ける外部入力部と、
該外部入力部が入力を受け付けた前記撮像画像データを所定態様で前記データ記憶部に格納する画像データ登録部と、をさらに備える請求項１に記載の空調管理装置。
【請求項３】
前記機器表示制御部は、ユーザによって前記アイコンが選択されると、当該アイコンによって示される空調機のメンテナンスに関するメンテナンス情報を前記表示部に表示させる請求項１又は２に記載の空調管理装置。
【請求項４】
前記機器表示制御部は、前記メンテナンス情報をユーザによる編集可能な態様で前記表示部に表示させる請求項３に記載の空調管理装置。
【請求項５】
前記画像データ設定部は、予め付与した権限を有する特定のユーザによって、前記所定の操作が行われた場合に限り、前記撮像画像データと前記空調機との対応付けを行う請求項１乃至４の何れか１項に記載の空調管理装置。
【請求項６】
前記アイコンは、対応する空調機の撮像画像データに基づいて形成されている請求項１乃至５の何れか１項に記載の空調管理装置。
【請求項７】
複数の空調機とデータ通信可能に接続し、各空調機の動作状態を管理するコンピュータを、
ユーザからの入力操作を受け付ける操作受付部、
前記空調機を管理するための各種情報を表示する表示部、
前記表示部に、前記空調機が設置される建物の間取り図を表示させると共に、該間取り図における前記空調機の実際の設置位置に対応する部分上に、当該空調機を示すアイコンを表示させる機器表示制御部、
前記空調機の撮像画像データを記憶するデータ記憶部、
ユーザによる所定の操作に応じて、前記撮像画像データと前記空調機との対応付けを行う画像データ設定部、として機能させるためのプログラムであって、
前記機器表示制御部は、ユーザによって前記アイコンが選択されると、当該アイコンによって示される空調機に対応付けられた前記撮像画像データに基づく画像を前記表示部に表示させるプログラム。
【発明の詳細な説明】
【技術分野】
【０００１】
本発明は、ビル等に設置される空調機のメンテナンス作業を支援するための技術に関する。
【背景技術】
【０００２】
従来より、ビル等に導入された空調システムにおいて、複数の空調機を集中管理するコントローラ（空調管理装置）が、各空調機の設置位置を表示して作業者等に提示することで、メンテナンス作業の効率化を図る技術が種々提案されている（例えば、特許文献１、２など）。【０００３】
ところで、一般に、この種のメンテナンス作業者は、当該ビル内のどの場所に、実際にどのような空調機がどのように設置されているかを頭に入れておくことが要求される。この場合、設置台数が少ないと、設置場所や実際の設置状況を把握するのは比較的容易といえる。あるいは、長期間継続して、同一のビルの空調システムを担当している作業者であれば、設置場所や実際の設置状況が自然に頭に入っていることも考えられる。【０００４】
しかし、代わったばかりで、当該ビルの空調システムの担当経験が浅い作業者にとっては、管理対象となる空調機が多い場合、各々の設置場所や実際の設置状況を短期間で把握するのは非常に困難である。
【先行技術文献】
【特許文献】
【０００５】
【特許文献１】特許第４４６６７７６号公報
【特許文献２】特開２０１０−７８８７号公報
【発明の概要】
【発明が解決しようとする課題】
【０００６】
この点に関し、上記の特許文献１や特許文献２では、各空調機の設置場所を作業者等に提示する技術については提案するものの、実際の設置状況を提示することについての言及は一切されていない。【０００７】
本発明は、上記従来の問題点を解決するためになされたものであり、空調システムにおける各空調機の設置場所及びその実際の設置状況を、作業者等のユーザに提示できる空調管理装置等を提供することを目的とする。
【課題を解決するための手段】
【０００８】
上記目的を達成するため、本発明に係る空調管理装置は、
複数の空調機とデータ通信可能に接続し、各空調機の動作状態を管理する空調管理装置であって、
ユーザからの入力操作を受け付ける操作受付部と、
前記空調機を管理するための各種情報を表示する表示部と、
前記表示部に、前記空調機が設置される建物の間取り図を表示させると共に、該間取り図における前記空調機の実際の設置位置に対応する部分上に、当該空調機を示すアイコンを表示させる機器表示制御部と、
前記空調機の撮像画像データを記憶するデータ記憶部と、
ユーザによる所定の操作に応じて、前記撮像画像データと前記空調機との対応付けを行う画像データ設定部と、を備え、
前記機器表示制御部は、ユーザによって前記アイコンが選択されると、当該アイコンによって示される空調機に対応付けられた前記撮像画像データに基づく画像を前記表示部に表示させる。
【発明の効果】
【０００９】
本発明によれば、各空調機の撮像画像を設置場所と共にユーザに提示するため、ユーザは各空調機の実際の設置状況を容易に把握でき、メンテナンス等の作業効率の向上が図れる。
【図面の簡単な説明】
【００１０】
【図１】本発明の一実施形態に係る空調管理装置を備えた空調システムの全体構成を示す図である。
【図２】図１に示す空調管理装置の構成を示すブロック図である。
【図３】図２に示す制御部の機能構成を示すブロック図である。
【図４】監視画面の一例を示す図である。
【図５】空調機の画像等を表示させる操作について説明するための図である。
【図６】図５の操作により、空調機の画像等が表示された様子を示す図である。
【図７】図２に示すデータ記憶部について説明するための図である。
【図８】図７に示す間取り図管理テーブルの構成を示す図である。
【図９】図７に示す機器情報テーブルの構成を示す図である。
【図１０】図７に示す登録画像情報テーブルの構成を示す図である。
【図１１】画像データ登録モード時の処理手順を示すフローチャートである。
【図１２】画像名称入力画面の一例を示す図である。
【図１３】画像データ設定モード時の処理手順を示すフローチャートである。
【図１４】画像データの一覧表示について説明するための図である。
【図１５】画像対応付け操作について説明するための図である。
【発明を実施するための形態】
【００１１】
以下、本発明の一実施形態に係る空調管理装置について図面を参照して詳細に説明する。
【００１２】
図１は、本実施形態に係る空調管理装置１を備えた空調システムの全体構成を示す図である。この空調システムは、例えば、オフィスビル内に設置される空調機を制御し、管理するためのシステムである。図１に示すように、この空調システムは、空調管理装置１と、室外機２と、複数の室内機３（３Ａ，３Ｂ，…）と、複数のリモコン４（４Ａ，４Ｂ，…）と、から構成される。空調管理装置１、室外機２及び室内機３は、通信線５を介して、相互に通信可能となるように接続されている。また、図示はしないが、室外機２と各室内機３とは、冷媒を循環させるための冷媒配管により接続されている。
【００１３】
リモコン４Ａ，４Ｂ，…は、それぞれ、室内機３Ａ，３Ｂ，…と通信可能に接続し、対応する室内機３をユーザが所望する設定条件で運転動作させるためのリモートコントローラである。リモコン４は、ハードウェア的には、ＣＰＵ（Central Processing Unit）、ＲＯＭ（Read Only Memory）、ＲＡＭ（Random Access Memory）、フラッシュメモリ等の読み書き可能な不揮発性の半導体メモリ、液晶表示器等の表示デバイスや、キーパッド、タッチパッド、タッチパネル等の入力デバイス等から構成される。リモコン４は、入力デバイスを介して、ユーザからの入力操作を受け付け、受け付けた入力操作に係る信号（操作信号）を対応する室内機３に送信する。
【００１４】
室内機３は、対応するリモコン４からの操作信号に基づいた運転動作を行う。具体的には、室内機３は、かかる操作信号に従って、冷房、暖房、除湿、送風等の運転モードを切り替え、設定された温度の空気を設定された風量で吹き出す動作を行う。また、室内機３は、空調管理装置１からの制御データを受信すると、かかる制御データに基づいた運転動作を行う。さらに、室内機３は、リモコン４からの操作信号に基づいて変更した自機の動作状態に係るデータ（状態変更データ）を室外機２に送信する。
【００１５】
室外機２は、室内機３からの状態変更データを受信すると、図示しないメモリに保存すると共に、当該状態変更データが示す動作状態で当該室内機３が稼働できるように、自機を構成する各部（コンプレッサ、凝縮器、膨張弁、蒸発器等）の動作状態を調整する。また、室外機２は、空調管理装置１からの制御データを受信すると、かかる制御データに基づいた運転動作を行う。
【００１６】
また、室外機２は、室内機３からの状態変更データを空調管理装置１に送信する。さらに、室外機２は、図示しない温度センサにより計測した外気温度や室外機２の動作状態に関するデータ（室外機データ）を所定のタイミングで空調管理装置１に送信する。
【００１７】
空調管理装置１は、当該空調システムを統合的に制御、管理する装置である。図２に示すように、空調管理装置１は、表示部１０と、操作受付部２０と、通信部３０と、制御部４０と、外部入出力部５０と、データ記憶部６０と、を備える。
【００１８】
表示部１０は、例えば、ＣＲＴや液晶表示器等で構成され、制御部４０の制御の下、ユーザ操作用の画面や、空調機（室外機２、室内機３）に関する様々な情報等の表示を行う。操作受付部２０は、例えば、キーボード、マウス、キーパッド、タッチパッドやタッチパネル等で構成され、ユーザからの入力操作を受け付け、受け付けた入力操作に係る信号（操作信号）を制御部４０に送出する。
【００１９】
通信部３０は、例えば、ネットワークカード等の通信インタフェースで構成され、制御部４０の制御の下、通信線５を介して、室外機２及び各室内機３と所定の通信方式に則った通信を行う。制御部４０は、ＣＰＵ、ＲＯＭ、ＲＡＭ等から構成され、空調管理装置１の各部の制御を行う。制御部４０の機能の詳細については、後述する。
【００２０】
外部入出力部５０は、例えば、ハードディスクドライブ（ＨＤＤ）等の外部機器と接続するための、例えば、ＵＳＢ（Universal Serial Bus）等のインタフェースで構成される。データ記憶部６０は、例えば、フラッシュメモリ等の読み書き可能な不揮発性の半導体メモリあるいはＨＤＤで構成され、当該空調システムに係る様々なデータ（詳細は後述する）を記憶する。
【００２１】
図３は、制御部４０の機能構成を示すブロック図である。図３に示すように、制御部４０は、空調制御部４０１と、画像データ登録部４０２と、画像データ設定部４０３と、機器表示制御部４０４と、を備える。これらの構成部の機能は、ＣＰＵ等が、ＲＯＭ等に記憶されている１又は複数の所定のプログラムを実行することで実現される。
【００２２】
空調制御部４０１は、室外機２及び各室内機３の状態を監視し、また、ユーザの操作に応じてこれらの運転動作の制御を行う。例えば、空調制御部４０１は、室外機２から送信された上述の状態変更データや室外機データをデータ記憶部６０に保存する。また、ユーザにより、操作受付部２０を介して、室外機２や室内機３の運転動作に関する操作が行われると、空調制御部４０１は、当該操作内容に基づいて、当該室外機２や室内機３を制御するためのデータ（制御データ）を生成し、室外機２や室内機３に送信する。
【００２３】
画像データ登録部４０２は、新規あるいは更新のために外部入出力部５０から入力された空調機（室外機２、室内機３）の画像データの登録に関する処理を行う。画像データ登録部４０２は、入力された画像データを後述する画像ＩＤや画像名称などと対応付けてデータ記憶部６０に保存する。
【００２４】
画像データ設定部４０３は、ユーザの操作に応じて、登録されている画像データと、空調機を対応付ける処理を実行する。
【００２５】
機器表示制御部４０４は、データ記憶部６０に格納されている各種のデータに基づいて、各空調機（室外機２及び各室内機３）に関する様々な情報を表示部１０を介して表示する。例えば、機器表示制御部４０４は、図４に示すような監視画面を表示する。この監視画面では、図４に示すように、当該ビルの間取り図１０１が表示されると共に、間取り図１０１の上に各空調機を示すアイコン１０２が表示される。かかる監視画面により、ユーザは、各空調機の設置場所を容易に認識することができる。
【００２６】
監視画面において、機器表示制御部４０４は、アイコン１０２上に、対応する空調機の運転状態に関する情報（例えば、機器ＩＤ、運転／停止／異常、冷房／暖房／送風／除湿、外気温度、室内温度、設定温度、設定風量（強／中／弱）など）を表示することができる。図４の例では、アイコン１０２上に、運転又は停止の何れかを表示し、運転の場合は、さらに設定温度を表示している。
【００２７】
また、機器表示制御部４０４は、アイコン１０２の表示態様（例えば、配色、マーク、外観等）を変化させることで、当該アイコン１０２に対応する空調機が、運転／停止／異常の何れかであるか等を示すようにしてもよい。
【００２８】
監視画面において、ユーザは、ＧＵＩ（Graphical User Interface）ボタンであるボタン１０３、１０４を押下することで、所望の階に対応した監視画面に切り替えることができる。例えば、ボタン１０３が押下されると、機器表示制御部４０４は、現在表示されている階より１つ下の階の間取り図１０１を表示すると共に、当該階に設置されている空調機に対応したアイコン１０２を表示する。一方、ボタン１０４が押下されると、機器表示制御部４０４は、現在表示されている階より１つ上の階の間取り図１０１を表示すると共に、当該階に設置されている空調機に対応したアイコン１０２を表示する。
【００２９】
また、機器表示制御部４０４は、図５に示すように、ユーザによりアイコン１０２が選択操作されると、当該アイコン１０２に対応する空調機に関する所定情報を表示する。より詳細には、機器表示制御部４０４は、図６に示すように、当該アイコン１０２に対応する空調機の撮像画像を表示すると共に、当該空調機のメンテンスに関する情報（メンテナンス情報）を表示する。このメンテナンス情報には、例えば、空調機の撮像日時、設置や交換した日時、前回のメンテナンス日時、前回の作業者名等が含まれる。
【００３０】
このメンテナンス情報が表示されるウィンドウは、文字入力可能な態様で表示される。したがって、ユーザは、このウィンドウを介して、空調機のメンテナンス情報を適宜編集することができる。
【００３１】
続いて、データ記憶部６０が記憶する各種のデータについて説明する。図７に示すように、データ記憶部６０には、間取り図管理テーブル６０１、機器情報テーブル６０２、登録画像情報テーブル６０３、モード状態データ６０４、間取り図データ６０５、画像データ６０６等が記憶される。
【００３２】
間取り図管理テーブル６０１は、図８に示すように、間取り図ＩＤ６０１０と、場所名称６０１１と、データポインタ６０１２と、から構成されるレコードが、間取り図の数分、エントリされたデータテーブルである。間取り図ＩＤ６０１０には、間取り図１０１を一意に識別するために予め割り振られたＩＤが設定される。場所名称６０１１には、当該間取り図１０１が示す場所の名称（テキストデータ）が設定される。本例では、場所の名称は、“１階”、“２階”等、フロア番号で示される。データポインタ６０１２は、当該間取り図１０１に対応する間取り図データ６０５（実データ）の格納先（メモリアドレス）を示す情報（ポインタ）が設定される。
【００３３】
例えば、あるフロアの間取りが変更された場合、ユーザは、更新後の間取りに対応する間取り図データ６０５を、データ記憶部６０の元の格納先に上書きすればよい。この場合、間取り図管理テーブル６０１の内容を変更する必要はない。なお、更新後の間取りに対応する間取り図データ６０５を、データ記憶部６０の元の格納先とは異なる別の領域に格納した場合は、ユーザは、データポインタ６０１２に、新しい格納先を示すポインタを設定すればよい。
【００３４】
機器情報テーブル６０２は、各空調機（室外機２、室内機３）に関する情報が設定されたデータテーブルである。具体的には、機器情報テーブル６０２には、図９に示すように、機器ＩＤ６０２０と、機器名称６０２１と、運転状態情報６０２２と、位置情報６０２３と、画像ＩＤ６０２４と、メンテナンス情報６０２５と、から構成されるレコードが、空調管理装置１と接続する空調機の数分、エントリされている。
【００３５】
機器ＩＤ６０２０には、各空調機を一意に識別するために予め割り振られたＩＤが設定される。機器名称６０２１には、当該空調機の名称（例えば、“室外機”、“室内機０１”、“室内機０２”等のテキストデータ）が設定される。運転状態情報６０２２には、当該空調機の運転状態に関する情報（例えば、運転／停止／異常、冷房／暖房／送風／除湿、外気温度、室内温度、設定温度、設定風量（強／中／弱）など）が設定される。
【００３６】
空調制御部４０１は、室外機２や室内機３から、上述の状態変更データや室外機データを受信すると、その内容を、機器情報テーブル６０２の当該空調機に対応するレコードの運転状態情報６０２２に設定する。また、空調制御部４０１は、室外機２や室内機３に対して上述した制御データを送信する際にも、その内容を対応する運転状態情報６０２２に設定する。
【００３７】
位置情報６０２３には、間取り図１０１上の当該空調機を示すアイコン１０２の表示位置（例えば、ｘ，ｙ座標）が設定される。画像ＩＤ６０２４には、当該空調機を示す画像データ６０６を一意に識別するために予め割り振られたＩＤ（画像ＩＤ）が設定される。この画像ＩＤは、画像データ６０６が外部入出力部５０を介して入力された際に、画像データ登録部４０２によって付与される。
【００３８】
メンテナンス情報６０２５には、当該空調機のメンテンスに関する情報が設定される。例えば、当該空調機を撮像した日時（即ち、対応する画像データ６０６の生成日時）、当該空調機を設置した日時や交換した日時、前回のメンテナンス日時、前回の作業者名等が、メンテナンス情報６０２５に設定される。
【００３９】
登録画像情報テーブル６０３は、外部入出力部５０を介して入力された画像データ６０６を管理するためのデータテーブルである。図１０に示すように、登録画像情報テーブル６０３には、画像ＩＤ６０３０と、画像名称６０３１と、データポインタ６０３２と、から構成されたレコードが、画像データ６０６の登録数分、エントリされている。画像ＩＤ６０３０には、上述した画像ＩＤが設定される。画像名称６０３１には、当該画像データに対してユーザが付けた任意の名称が設定される。データポインタ６０３２には、当該画像ＩＤに対応する画像データ６０６の格納先（メモリアドレス）を示す情報（ポインタ）が設定される。
【００４０】
モード状態データ６０４は、空調管理装置１における現在の処理モードを示す変数である。本実施形態では、空調管理装置１は、通常モードと、画像データ登録モードと、画像データ設定モードの３つの処理モードを有する。通常モードでは、空調管理装置１は、室外機２及び各室内機３の状態を監視し、また、ユーザの操作に応じてこれらの運転動作の制御を行う。
【００４１】
また、画像データ登録モードでは、空調管理装置１は、外部機器から入力した画像データの登録に関する処理を行う。
【００４２】
また、画像データ設定モードでは、空調管理装置１は、登録された画像データと空調機との対応付けに関する処理を行う。
【００４３】
モード状態データ６０４には、各処理モードに応じた数値が設定され、例えば、通常モード時では“０”が設定され、画像データ登録モード時では“１”が設定され、画像データ設定モード時では“２”が設定される。
【００４４】
図１１は、画像データ登録モード時における空調管理装置１の処理手順を示すフローチャートである。ユーザにより、操作受付部２０を介して、画像データ登録モードへの移行を示す所定の操作が行われると、制御部４０は、モード状態データ６０４の設定値を１に更新し、処理モードを画像データ登録モードに変更する。これにより、以下の処理が実行される。
【００４５】
先ず、画像データ登録部４０２は、外部入出力部５０を介して、ＨＤＤ等の外部機器から画像データが入力されたか否かを判定する（ステップＳ１０１）。画像データが入力された場合（ステップＳ１０１；ＹＥＳ）、画像データ登録部４０２は、当該画像データに対して画像ＩＤを付与する（ステップＳ１０２）。また、画像データ登録部４０２は、図１２に示すような、当該画像データに対する名称の入力をユーザに要求する画面（画像名称入力画面）を表示部１０の表示画面に表示する（ステップＳ１０３）。
【００４６】
ユーザにより、画像データの名称の入力が完了すると（ステップＳ１０４；ＹＥＳ）、画像データ登録部４０２は、付与した画像ＩＤと、入力された画像名称と、当該画像データの格納先を示すポインタと、をそれぞれ、画像ＩＤ６０３０、画像名称６０３１及びデータポインタ６０３２に設定したレコードを生成する。そして、画像データ登録部４０２は、生成したレコードを登録画像情報テーブル６０３に追加する（ステップＳ１０５）。
【００４７】
次に、画像データ登録部４０２は、ユーザにより本処理の終了操作が行われた否かを判定する（ステップＳ１０６）。例えば、ユーサが、操作受付部２０を介して、通常モード又は画像データ設定モードへの変更を示す所定の操作を行った場合、本処理の終了操作が行われたものとして判定される。
【００４８】
本処理の終了操作が行われた場合（ステップＳ１０６；ＹＥＳ）、画像データ登録部４０２は、処理モードを画像データ登録モードから、通常モード又は画像データ設定モードに変更し（ステップＳ１０７）、本処理を終了する。一方、終了操作が行われていない場合（ステップＳ１０６；ＮＯ）、画像データ登録部４０２は、ステップＳ１０１の処理を再度行う。
【００４９】
以上のようにして、外部から入力された画像データ６０６が登録される。
【００５０】
次に、画像データ設定モード時における空調管理装置１の処理手順について、図１３のフローチャートに沿って説明する。ユーザにより、操作受付部２０を介して、画像データ設定モードへの移行を示す所定の操作が行われると、制御部４０は、モード状態データ６０４の設定値を２に更新し、処理モードを画像データ設定モードに変更する。これにより、以下の処理が実行される。
【００５１】
先ず、画像データ設定部４０３は、登録されている画像データの一覧を表示部１０の表示画面に表示する（ステップＳ２０１）。この場合、画像データ設定部４０３は、図１４に示すように、表示画面の一方の端側（本例では、向かって左側）に、画像データの一覧を表示するためのウィンドウ（画像一覧ウィンドウ）を表示する。
【００５２】
そして、画像データ設定部４０３は、登録画像情報テーブル６０３を参照して、登録されている画像データ６０６をデータ記憶部６０から順次読み出して、画像一覧ウィンドウ内に表示する。その際、画像データ設定部４０３は、読み出した画像データ６０６を周知の技法で縮小し、その縮小した画像データに基づく画像を画像一覧ウィンドウ内に表示する。また、画像データ設定部４０３は、各画像上に、対応する名称を重ねて表示する。この名称は、登録画像情報テーブル６０３の当該画像に対応するレコードの画像名称６０３１から取得したものである。
【００５３】
画像データの一覧表示後、画像データ設定部４０３は、ユーザにより、画像データ６０６と空調機の対応付けに関する所定操作（画像対応付け操作）が行われたか否かを判定する（ステップＳ２０２）。ここで、画像対応付け操作とは、図１５に示すように、ユーザにより、操作受付部２０等を介して、画像一覧ウィンドウ内の何れかの画像が選択され、何れかの空調機を示すアイコン１０２上までドラッグされた操作をいう。
【００５４】
ユーザにより画像対応付け操作が行われた場合（ステップＳ２０２；ＹＥＳ）、画像データ設定部４０３は、ユーザにより選択された画像（即ち、画像データ６０６を縮小した画像データに基づく画像）に対応する画像ＩＤを取得する（ステップＳ２０３）。また、画像データ設定部４０３は、ドラッグ先のアイコン１０２に対応する空調機の機器ＩＤを取得する（ステップＳ２０４）。
【００５５】
そして、画像データ設定部４０３は、機器情報テーブル６０２から、取得した機器ＩＤに対応するレコードを検索する（ステップＳ２０５）。そして、画像データ設定部４０３は、検索で得られた該当するレコードの画像ＩＤ６０２４に、取得した画像ＩＤを格納する（ステップＳ２０６）。これにより、一の画像データ６０６と一の空調機との対応付けが完了する。
【００５６】
画像データ設定部４０３は、ユーザにより本処理の終了操作が行われた否かを判定する（ステップＳ２０７）。例えば、ユーサが、操作受付部２０を介して、通常モード又は画像データ登録モードへの移行を示す所定の操作を行った場合、本処理の終了操作が行われたものとして判定される。
【００５７】
本処理の終了操作が行われた場合（ステップＳ２０７；ＹＥＳ）、画像データ設定部４０３は、処理モードを画像データ設定モードから通常モード又は画像データ登録モードに変更し（ステップＳ２０８）、本処理を終了する。一方、終了操作が行われていない場合（ステップＳ２０７；ＮＯ）、画像データ設定部４０３は、ステップＳ２０１の処理を再度行う。
【００５８】
以上説明したように、本発明の本実施形態に係る空調管理装置１は、当該空調システムを導入するビルの間取り図１０１を表示し、かかる間取り図１０１上に、各空調機（室外機２、室内機３）を示すアイコン１０２を実際の設置場所に合わせるようにして表示する。したがって、当該空調システムの管理者やメンテナンス担当者等のユーザは、各空調機の設置場所を容易に認識でき、メンテナンス等の作業効率の向上が図れる。
【００５９】
また、本実施形態に係る空調管理装置１は、実際に設置されている各空調機を撮像した画像も表示できるようにしている。このため、ユーザは、実際にどのような空調機がどのように設置されているかの設置状況を、空調管理装置１が表示する監視画面上で容易に確認することができる。
【００６０】
したがって、例えば、メンテナンスの担当者が代わった場合においても、新しい担当者は、１台ずつ設置場所に行って、実際の空調機を目視で確認することなく、当該空調システムにおいて、如何なる空調機が設置されているかを容易且つ確実に把握することが可能となる。つまり、長期間に亘って当該空調システムのメンテナンス等の作業に従事していない作業者であっても、当該空調システムを構成する実際の空調機の把握を容易にできるため、メンテナンス等の作業効率の向上が一層図れる。
【００６１】
本実施形態の変形例として、以下のような様々な構成も採用可能である。
【００６２】
例えば、予め付与した権限を有する特定のユーザによる操作に限り、上述した画像データ登録モードや、画像データ設定モード時における処理が実行されるようにしてもよい。例えば、上述した画像データ登録モードや画像データ設定モードへ移行させるための操作の際、ユーザにパスワードを入力させ、入力されたパスワードと、予め登録されたパスワードとが一致した場合に限り、当該操作を受け付ける仕様にしてもよい。このように、予め付与した権限を有する特定のユーザによる操作のみを受け付けるようにすることで、関係者以外の不特定多数の者による、画像データと空調機との対応付けの不当な変更等を防止できる。
【００６３】
また、上記と同様に、予め付与した権限を有するユーザに限り、メンテナンス情報の編集ができるようにしてもよい。
【００６４】
また、図４等の監視画面において空調機を示すアイコン１０２は、当該空調機の撮像画像で構成されていてもよい。即ち、当該空調機に対応する画像データ６０６を縮小した画像データに基づく画像で、アイコン１０２を形成してもよい。このようにすると、ユーザはアイコンを選択することなく、監視画面上で各空調機の設置状況を確認することができる。
【００６５】
また、上記実施形態の空調管理装置１が実行したプログラムを、既存のパーソナルコンピュータ（ＰＣ）等に適用することで、当該ＰＣを本発明に係る空調管理装置として機能させることも可能である。即ち、上述した制御部４０が実行したようなプログラムを既存のＰＣ等に適用し、そのＰＣ等のＣＰＵ等が当該プログラムを実行することで、当該ＰＣ等を本発明に係る空調管理装置として機能させることができる。
【００６６】
このようなプログラムの配布方法は任意であり、例えば、フレキシブルディスク、ＣＤ−ＲＯＭ（Ｃｏｍｐａｃｔ  Ｄｉｓｋ  Ｒｅａｄ−Ｏｎｌｙ  Ｍｅｍｏｒｙ）、ＤＶＤ（Ｄｉｇｉｔａｌ  Ｖｅｒｓａｔｉｌｅ  Ｄｉｓｋ）、ＭＯ（Ｍａｇｎｅｔｏ  Ｏｐｔｉｃａｌ  Ｄｉｓｋ）、メモリカードなどのコンピュータ読み取り可能な記録媒体に格納して配布してもよい。あるいは、インターネット等の通信ネットワーク上のサーバ装置が有するディスク装置等に上記プログラムを格納しておき、かかるサーバ装置から、当該通信ネットワークを介して、上記プログラムを搬送波に重畳させて配信してもよい。
【００６７】
この場合、上述した本発明に係る機能を、ＯＳ（オペレーティングシステム）とアプリケーションプログラムの分担、またはＯＳとアプリケーションプログラムとの協働により実現する場合などでは、アプリケーションプログラム部分のみを記録媒体等に格納してもよい。
【００６８】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【産業上の利用可能性】
【００６９】
本発明は、ビルや工場等、多くの空調機で構成される空調システムに好適に採用され得る。
【符号の説明】
【００７０】
１  空調管理装置
１０  表示部
１０１  間取り図
１０２  アイコン
１０３，１０４  ボタン
２０  操作受付部
３０  通信部
４０  制御部
４０１  空調制御部
４０２  画像データ登録部
４０３  画像データ設定部
４０４  機器表示制御部
５０  外部入出力部
６０  データ記憶部
６０１  間取り図管理テーブル
６０２  機器情報テーブル
６０３  登録画像情報テーブル
６０４  モード状態データ
６０５  間取り図データ
６０６  画像データ
２  室外機
３（３Ａ，３Ｂ）  室内機
４（４Ａ，４Ｂ）  リモコン
５  通信線
【図１】
2012153391.tif 000003
【図２】
2012153391.tif 000004
【図３】
2012153391.tif 000005
【図４】
2012153391.tif 000006
【図５】
2012153391.tif 000007
【図７】
2012153391.tif 000008
【図８】
2012153391.tif 000009
【図９】
2012153391.tif 000010
【図１０】
2012153391.tif 000011
【図１１】
2012153391.tif 000012
【図１２】
2012153391.tif 000013
【図１３】
2012153391.tif 000014
【図６】
2012153391.tif 000015
【図１４】
2012153391.tif 000016
【図１５】
2012153391.tif 000017
【手続補正書】
【提出日】平成25年5月15日(2013.5.15)
【手続補正２】
【補正対象書類名】明細書
【補正対象項目名】０００８
【補正方法】変更
【補正の内容】
【０００８】
上記目的を達成するため、本発明に係る空調管理装置は、
複数の空調機とデータ通信可能に接続し、各空調機の動作状態を管理する空調管理装置であって、
ユーザからの入力操作を受け付ける操作受付部と、
前記空調機を管理するための各種情報を表示する表示部と、
前記表示部に、前記空調機が設置される建物の間取り図を表示させると共に、該間取り図における前記空調機の実際の設置位置に対応する部分上に、当該空調機を示すアイコンを表示させる機器表示制御部と、
外部からの前記空調機の撮像画像データの入力を受け付ける外部入力部と、
前記外部入力部によって前記撮像画像データが入力された場合、当該撮像画像データに対するテキストデータの入力を要求する画面を前記表示部を介して表示し、ユーザから前記操作受付部を介して前記テキストデータが入力されると、前記撮像画像データと、前記入力されたテキストデータと、を対応付けてデータ記憶部に保存する画像データ登録部と、
ユーザによる所定の操作に応じて、前記データ記憶部に保存されている前記撮像画像データと前記空調機との対応付けを行う画像データ設定部と、を備え、
前記機器表示制御部は、ユーザによって前記アイコンが選択されると、当該アイコンによって示される空調機に対応付けられた前記撮像画像データに基づく画像を前記表示部に表示させる。
【手続補正３】
【補正対象書類名】特許請求の範囲
【補正対象項目名】全文
【補正方法】変更
【補正の内容】
【特許請求の範囲】
【請求項１】
複数の空調機とデータ通信可能に接続し、各空調機の動作状態を管理する空調管理装置であって、
ユーザからの入力操作を受け付ける操作受付部と、
前記空調機を管理するための各種情報を表示する表示部と、
前記表示部に、前記空調機が設置される建物の間取り図を表示させると共に、該間取り図における前記空調機の実際の設置位置に対応する部分上に、当該空調機を示すアイコンを表示させる機器表示制御部と、
外部からの前記空調機の撮像画像データの入力を受け付ける外部入力部と、
前記外部入力部によって前記撮像画像データが入力された場合、当該撮像画像データに対するテキストデータの入力を要求する画面を前記表示部を介して表示し、ユーザから前記操作受付部を介して前記テキストデータが入力されると、前記撮像画像データと、前記入力されたテキストデータと、を対応付けてデータ記憶部に保存する画像データ登録部と、
ユーザによる所定の操作に応じて、前記データ記憶部に保存されている前記撮像画像データと前記空調機との対応付けを行う画像データ設定部と、を備え、
前記機器表示制御部は、ユーザによって前記アイコンが選択されると、当該アイコンによって示される空調機に対応付けられた前記撮像画像データに基づく画像を前記表示部に表示させる空調管理装置。
【請求項２】
前記機器表示制御部は、ユーザによって前記アイコンが選択されると、当該アイコンによって示される空調機のメンテナンスに関するメンテナンス情報を前記表示部に表示させる請求項１に記載の空調管理装置。
【請求項３】
前記機器表示制御部は、前記メンテナンス情報をユーザによる編集可能な態様で前記表示部に表示させる請求項２に記載の空調管理装置。
【請求項４】
前記画像データ設定部は、予め付与した権限を有する特定のユーザによって、前記所定の操作が行われた場合に限り、前記撮像画像データと前記空調機との対応付けを行う請求項１乃至３の何れか１項に記載の空調管理装置。
【請求項５】
前記アイコンは、対応する空調機の撮像画像データに基づいて形成されている請求項１乃至４の何れか１項に記載の空調管理装置。
【請求項６】
請求項１乃至５の何れか１項に記載の空調管理装置と、
複数の空調機と、を備える空調システム。
【請求項７】
操作受付部が、ユーザからの入力操作を受け付け、
外部入力部が、外部からの空調機の撮像画像データの入力を受け付け、
画像データ登録部が、前記撮像画像データが入力された場合、当該撮像画像データに対するテキストデータの入力を要求する画面を表示部に表示させ、ユーザにより前記テキストデータが入力されると、前記撮像画像データと、前記入力されたテキストデータと、を対応付けてデータ記憶部に保存し、
機器表示制御部が、前記表示部に、前記空調機が設置される建物の間取り図を表示させると共に、該間取り図における前記空調機の実際の設置位置に対応する部分上に、当該空調機を示すアイコンを表示させ、
画像データ設定部が、ユーザによる所定の操作に応じて、前記データ記憶部に保存されている前記撮像画像データと前記空調機との対応付けを行う画像データ設定方法。
【請求項８】
複数の空調機とデータ通信可能に接続し、各空調機の動作状態を管理するコンピュータを、
ユーザからの入力操作を受け付ける操作受付部、
前記空調機を管理するための各種情報を表示する表示部、
前記表示部に、前記空調機が設置される建物の間取り図を表示させると共に、該間取り図における前記空調機の実際の設置位置に対応する部分上に、当該空調機を示すアイコンを表示させる機器表示制御部、
外部からの前記空調機の撮像画像データの入力を受け付ける外部入力部、
前記外部入力部によって前記撮像画像データが入力された場合、当該撮像画像データに対するテキストデータの入力を要求する画面を前記表示部を介して表示し、ユーザから前記操作受付部を介して前記テキストデータが入力されると、前記撮像画像データと、前記入力されたテキストデータと、を対応付けてデータ記憶部に保存する画像データ登録部、
ユーザによる所定の操作に応じて、前記データ記憶部に保存されている前記撮像画像データと前記空調機との対応付けを行う画像データ設定部、として機能させるためのプログラムであって、
前記機器表示制御部は、ユーザによって前記アイコンが選択されると、当該アイコンによって示される空調機に対応付けられた前記撮像画像データに基づく画像を前記表示部に表示させるプログラム。
【手続補正書】
【提出日】平成26年3月26日(2014.3.26)
【手続補正１】
【補正対象書類名】特許請求の範囲
【補正対象項目名】全文
【補正方法】変更
【補正の内容】
【特許請求の範囲】
【請求項１】
複数の空調機とデータ通信可能に接続し、各空調機の動作状態を管理する空調管理装置であって、
ユーザからの入力操作を受け付ける操作受付部と、
前記空調機を管理するための各種情報を表示する表示部と、
前記表示部に、前記空調機が設置される建物の間取り図を表示させると共に、該間取り図における前記空調機の実際の設置位置に対応する部分上に、当該空調機を示すアイコンを表示させる機器表示制御部と、
外部からの前記空調機の撮像画像データの入力を受け付ける外部入力部と、
前記外部入力部によって前記撮像画像データが入力された場合、当該撮像画像データに対するテキストデータの入力を要求する画面を前記表示部を介して表示し、ユーザから前記操作受付部を介して前記テキストデータが入力されると、前記撮像画像データと、前記入力されたテキストデータと、を対応付けてデータ記憶部に保存する画像データ登録部と、
前記機器表示制御部によって前記表示部に表示される画面の端側に、前記画像データ登録部によって保存された前記撮像画像データ及び対応する前記テキストデータに基づく画像の一覧を前記表示部に表示させ、ユーザによる所定の操作に応じて、前記撮像画像データと前記空調機との対応付けを行う画像データ設定部と、を備え、
前記機器表示制御部は、ユーザによって前記アイコンが選択されると、当該アイコンによって示される空調機に対応付けられた前記撮像画像データに基づく画像を前記表示部に表示させる空調管理装置。
【請求項２】
前記機器表示制御部は、ユーザによって前記アイコンが選択されると、当該アイコンによって示される空調機のメンテナンスに関するメンテナンス情報を前記表示部に表示させる請求項１に記載の空調管理装置。
【請求項３】
前記機器表示制御部は、前記メンテナンス情報をユーザによる編集可能な態様で前記表示部に表示させる請求項２に記載の空調管理装置。
【請求項４】
前記画像データ設定部は、予め付与した権限を有する特定のユーザによって、前記所定の操作が行われた場合に限り、前記撮像画像データと前記空調機との対応付けを行う請求項１乃至３の何れか１項に記載の空調管理装置。
【請求項５】
前記アイコンは、対応する空調機の撮像画像データに基づいて形成されている請求項１乃至４の何れか１項に記載の空調管理装置。
【請求項６】
請求項１乃至５の何れか１項に記載の空調管理装置と、
複数の空調機と、を備える空調システム。
【請求項７】
操作受付部が、ユーザからの入力操作を受け付け、
外部入力部が、外部からの空調機の撮像画像データの入力を受け付け、
画像データ登録部が、前記撮像画像データが入力された場合、当該撮像画像データに対するテキストデータの入力を要求する画面を表示部に表示させ、ユーザにより前記テキストデータが入力されると、前記撮像画像データと、前記入力されたテキストデータと、を対応付けてデータ記憶部に保存し、
機器表示制御部が、前記表示部に、前記空調機が設置される建物の間取り図を表示させると共に、該間取り図における前記空調機の実際の設置位置に対応する部分上に、当該空調機を示すアイコンを表示させ、
画像データ設定部が、前記機器表示制御部によって前記表示部に表示される画面の端側に、前記画像データ登録部によって保存された前記撮像画像データ及び対応する前記テキストデータに基づく画像の一覧を前記表示部に表示させ、ユーザによる所定の操作に応じて、前記データ記憶部に保存されている前記撮像画像データと前記空調機との対応付けを行う画像データ設定方法。
【請求項８】
複数の空調機とデータ通信可能に接続し、各空調機の動作状態を管理するコンピュータを、
ユーザからの入力操作を受け付ける操作受付部、
前記空調機を管理するための各種情報を表示する表示部、
前記表示部に、前記空調機が設置される建物の間取り図を表示させると共に、該間取り図における前記空調機の実際の設置位置に対応する部分上に、当該空調機を示すアイコンを表示させる機器表示制御部、
外部からの前記空調機の撮像画像データの入力を受け付ける外部入力部、
前記外部入力部によって前記撮像画像データが入力された場合、当該撮像画像データに対するテキストデータの入力を要求する画面を前記表示部を介して表示し、ユーザから前記操作受付部を介して前記テキストデータが入力されると、前記撮像画像データと、前記入力されたテキストデータと、を対応付けてデータ記憶部に保存する画像データ登録部、
前記機器表示制御部によって前記表示部に表示される画面の端側に、前記画像データ登録部によって保存された前記撮像画像データ及び対応する前記テキストデータに基づく画像の一覧を前記表示部に表示させ、ユーザによる所定の操作に応じて、前記データ記憶部に保存されている前記撮像画像データと前記空調機との対応付けを行う画像データ設定部、として機能させるためのプログラムであって、
前記機器表示制御部は、ユーザによって前記アイコンが選択されると、当該アイコンによって示される空調機に対応付けられた前記撮像画像データに基づく画像を前記表示部に表示させるプログラム。
【手続補正２】
【補正対象書類名】明細書
【補正対象項目名】０００８
【補正方法】変更
【補正の内容】
【０００８】
上記目的を達成するため、本発明に係る空調管理装置は、
複数の空調機とデータ通信可能に接続し、各空調機の動作状態を管理する空調管理装置であって、
ユーザからの入力操作を受け付ける操作受付部と、
前記空調機を管理するための各種情報を表示する表示部と、
前記表示部に、前記空調機が設置される建物の間取り図を表示させると共に、該間取り図における前記空調機の実際の設置位置に対応する部分上に、当該空調機を示すアイコンを表示させる機器表示制御部と、
外部からの前記空調機の撮像画像データの入力を受け付ける外部入力部と、
前記外部入力部によって前記撮像画像データが入力された場合、当該撮像画像データに対するテキストデータの入力を要求する画面を前記表示部を介して表示し、ユーザから前記操作受付部を介して前記テキストデータが入力されると、前記撮像画像データと、前記入力されたテキストデータと、を対応付けてデータ記憶部に保存する画像データ登録部と、
前記機器表示制御部によって前記表示部に表示される画面の端側に、前記画像データ登録部によって保存された前記撮像画像データ及び対応する前記テキストデータに基づく画像の一覧を前記表示部に表示させ、ユーザによる所定の操作に応じて、前記撮像画像データと前記空調機との対応付けを行う画像データ設定部と、を備え、
前記機器表示制御部は、ユーザによって前記アイコンが選択されると、当該アイコンによって示される空調機に対応付けられた前記撮像画像データに基づく画像を前記表示部に表示させる。
【国際調査報告】
2012153391.tif 000018
2012153391.tif 000019
2012153391.tif 000020
2012153391.tif 000021